(57)【要約】【課題】入力された画像データを、その種類に応じた画素数の画像再生機器用のデータに変換する変換プログラム及び記録装置の提供。【解決手段】静止画像データと動画データとを入力するデータ入力手段と、入力された画像データの種類を判断し、静止画像データの場合は動画データの規格の最大画素数に変換して動画データを作成し、動画データの場合は動画データの規格の標準的な解像度に変換し、必要に応じて各々の動画データに画像の再生時間に対応付けて分割した音楽データを合成した後、これらの動画データを各々１つのセグメントとして画像再生機器で再生可能な形式のデータに変換するデータ変換手段と、データを記録媒体に記録するデータ記録手段とを少なくとも備え、静止画像データと動画データとが混在する場合であっても、静止画像データに基づく画像を高解像度で再生できる。【選択図】図８
2005333612.tif 000002
【特許請求の範囲】
【請求項１】
コンピュータを、
動画データを第１の画素数に変換する第１の変換、及び、静止画像データを前記第１の画素数よりも大きい第２の画素数に変換する第２の変換の少なくとも一方を行う解像度変換手段として機能させることを特徴とするデータ生成プログラム。
【請求項２】
コンピュータを、更に、
前記第１の画素数に変換された１又は複数の第１の動画データと、前記第２の画素数に変換された１又は複数の前記静止画像データに基づいて作成された１又は複数の第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段として機能させることを特徴とする請求項１記載のデータ生成プログラム。
【請求項３】
コンピュータを、更に、
特定の音楽データを、前記第１の画素数に変換された１又は複数の第１の動画データ及び前記第２の画素数に変換された１又は複数の前記静止画像データに基づいて作成された１又は複数の第２の動画データの再生時間及び再生順に基づいて分割する音楽データ分割手段、
１又は複数の前記第１の動画データ及び１又は複数の前記第２の動画データに、前記再生順に基づいて分割された前記音楽データを合成し、前記音楽データが合成された１又は複数の前記第１の動画データと１又は複数の前記第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段として機能させることを特徴とする請求項１記載のデータ生成プログラム。
【請求項４】
前記特定の音楽データは、圧縮して記録されており、
前記音楽データ分割手段は、前記特定の音楽データを伸張した後に分割を行うことを特徴とする請求項３記載のデータ生成プログラム。
【請求項５】
前記第１の画素数は、動画データの規格における標準画素数であり、
前記第２の画素数は、動画データの規格における最大画素数であることを特徴とする請求項１乃至４のいずれか一に記載のデータ生成プログラム。
【請求項６】
静止画像データ及び動画データの少なくとも一方を入力するデータ入力手段と、
動画データを第１の画素数に変換する第１の変換、及び、静止画像データを前記第１の画素数よりも大きい第２の画素数に変換する第２の変換の少なくとも一方を行う解像度変換手段と、
前記第１の画素数に変換された１又は複数の第１の動画データと、前記第２の画素数に変換された１又は複数の前記静止画像データに基づいて作成された１又は複数の第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段と、
少なくとも、変換された前記データを記録媒体に記録するデータ記録手段と、を少なくとも備えることを特徴とする記録装置。
【請求項７】
静止画像データ及び動画データの少なくとも一方を入力するデータ入力手段と、
動画データを第１の画素数に変換する第１の変換、及び、静止画像データを前記第１の画素数よりも大きい第２の画素数に変換する第２の変換の少なくとも一方を行う解像度変換手段と、
特定の音楽データを、前記第１の画素数に変換された１又は複数の第１の動画データ及び前記第２の画素数に変換された１又は複数の前記静止画像データに基づいて作成された１又は複数の第２の動画データの再生時間及び再生順に基づいて分割する音楽データ分割手段と、
１又は複数の前記第１の動画データ及び１又は複数の前記第２の動画データに、前記再生順に基づいて分割された前記音楽データを合成し、前記音楽データが合成された１又は複数の前記第１の動画データと１又は複数の前記第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段と、
少なくとも、変換された前記データを記録媒体に記録するデータ記録手段と、を少なくとも備えることを特徴とする記録装置。
【請求項８】
前記特定の音楽データは、圧縮して記録されており、
前記音楽データ分割手段は、前記特定の音楽データを伸張した後に分割を行うことを特徴とする請求項７記載の記録装置。
【請求項９】
前記第１の画素数は、動画データの規格における標準画素数であり、
前記第２の画素数は、動画データの規格における最大画素数であることを特徴とする請求項６乃至８のいずれか一に記載の記録装置。
【請求項１０】
更に、前記記録媒体の所定の領域に記録された特定の情報を識別する記録媒体識別手段を備え、
前記記録媒体識別手段では、前記記録媒体の前記所定の領域に、予め前記特定の情報が記録されている場合に、変換された前記データの記録を行うことを特徴とする請求項６乃至９のいずれか一に記載の記録装置。
【請求項１１】
前記特定の情報の少なくとも一部は、前記記録媒体の論理アドレス領域外に記録されていることを特徴とする請求項１０記載の記録装置。
【請求項１２】
前記特定の情報は、前記記録媒体の製造者を特定する情報と前記記録媒体の識別情報とを含むことを特徴とする請求項１０又は１１に記載の記録装置。
【発明の詳細な説明】
【技術分野】
【０００１】
本発明は、データ生成プログラム及び記録装置に関し、特に、入力された画像データを所定の解像度の動画データに変換するデータ生成プログラム及び該変換された動画データを記録媒体に記録する記録装置に関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤーやＤＶＤレコーダーなどの画像再生機器で再生可能なＶｉｄｅｏ−ＣＤやＤＶＤ−Ｖｉｄｅｏなどの形式のデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
デジタルカメラでは、静止画を撮影する場合は高精細な写真プリントが作成できるように高解像度（高画素数）のデータとして記録されるが、動画を撮影する場合はデータの容量を小さくするために静止画像データよりも低い解像度（少ない画素数）のデータとして記録される。
【０００５】
ここで、静止画像データを画像再生機器でスライドショーとして再生する場合、静止画像データを所定の形式の動画データ（例えば、ＣＤ−Ｒに記録する場合はＭＰＥＧ１、ＤＶＤ−Ｒに記録する場合はＭＰＥＧ２）に変換することになるが、その際、静止画像データは、その画素数に関わらず、動画データの標準的な画素数（例えば、ＭＰＥＧ１の場合は、７００Ｍ程度の容量のＣＤ−Ｒに９０分程度の動画が再生できるようにするために設定された３５２×２４０程度の画素数）に変換される。
【０００６】
そのため、デジタルカメラで高解像度の静止画像データを記録しても画像再生機器では画素数が削減された解像度の低い画像しか再生することができないという問題があった。また、スライドショーの再生時間は高々、数分から十数分程度であるため、ＣＤ−Ｒ等の記録媒体の容量には十分な余裕があり、標準的な画素数より高い画素数でデータを作成することが可能であり、現在のＣＤ-Ｒ書き込みサービスでは記録媒体の容量を十分に活用しているとは言い難い。
【０００７】
また、上記した問題は、静止画像データをＤＶＤ−Ｒに記録するためにＤＶＤ−Ｖｉｄｅｏ規格のデータに変換する場合や、静止画像データをＢｌｕ−ｒａｙディスクに記録するためのＨＤＴＶ規格のデータに変換する場合にも同様に生じ、また、画像データを記録媒体に記録する場合に限らず、ハードディスクドライブなどの内部記憶手段に記録する場合でも同様に生じる。
【０００８】
本発明は、上記問題点に鑑みてなされたものであって、その主たる目的は、入力された画像データを、その種類に応じた画素数の画像再生機器用のデータに変換するデータ生成プログラム及び変換されたデータや入力されたデータを記録媒体に記録する記録装置を提供することにある。
【課題を解決するための手段】
【０００９】
上記目的を達成するため、本発明のデータ生成プログラムは、コンピュータを、動画データを第１の画素数に変換する第１の変換、及び、静止画像データを前記第１の画素数よりも大きい第２の画素数に変換する第２の変換の少なくとも一方を行う解像度変換手段として機能させるものである。
【００１０】
本発明においては、コンピュータを、更に、前記第１の画素数に変換された１又は複数の第１の動画データと、前記第２の画素数に変換された１又は複数の前記静止画像データに基づいて作成された１又は複数の第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段として機能させる構成とすることができる。
【００１１】
また、本発明においては、コンピュータを、更に、特定の音楽データを、前記第１の画素数に変換された１又は複数の第１の動画データ及び前記第２の画素数に変換された１又は複数の前記静止画像データに基づいて作成された１又は複数の第２の動画データの再生時間及び再生順に基づいて分割する音楽データ分割手段、１又は複数の前記第１の動画データ及び１又は複数の前記第２の動画データに、前記再生順に基づいて分割された前記音楽データを合成し、前記音楽データが合成された１又は複数の前記第１の動画データと１又は複数の前記第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段として機能させる構成とすることもでき、前記特定の音楽データは、圧縮して記録されており、前記音楽データ分割手段は、前記特定の音楽データを伸張した後に分割を行う構成とすることもできる。
【００１２】
また、本発明においては、前記第１の画素数は、動画データの規格における標準画素数であり、前記第２の画素数は、動画データの規格における最大画素数であることが好ましい。
【００１３】
また、本発明の記録装置は、静止画像データ及び動画データの少なくとも一方を入力するデータ入力手段と、動画データを第１の画素数に変換する第１の変換、及び、静止画像データを前記第１の画素数よりも大きい第２の画素数に変換する第２の変換の少なくとも一方を行う解像度変換手段と、前記第１の画素数に変換された１又は複数の第１の動画データと、前記第２の画素数に変換された１又は複数の前記静止画像データに基づいて作成された１又は複数の第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段と、少なくとも、変換された前記データを記録媒体に記録するデータ記録手段と、を少なくとも備えるものである。
【００１４】
また、本発明の記録装置は、静止画像データ及び動画データの少なくとも一方を入力するデータ入力手段と、動画データを第１の画素数に変換する第１の変換、及び、静止画像データを前記第１の画素数よりも大きい第２の画素数に変換する第２の変換の少なくとも一方を行う解像度変換手段と、特定の音楽データを、前記第１の画素数に変換された１又は複数の第１の動画データ及び前記第２の画素数に変換された１又は複数の前記静止画像データに基づいて作成された１又は複数の第２の動画データの再生時間及び再生順に基づいて分割する音楽データ分割手段と、１又は複数の前記第１の動画データ及び１又は複数の前記第２の動画データに、前記再生順に基づいて分割された前記音楽データを合成し、前記音楽データが合成された１又は複数の前記第１の動画データと１又は複数の前記第２の動画データとを、各々１つのセグメントとして、Ｖｉｄｅｏ−ＣＤ、ＤＶＤ−Ｖｉｄｅｏ又はＨＤＴＶ規格のデータに変換するデータ変換手段と、少なくとも、変換された前記データを記録媒体に記録するデータ記録手段と、を少なくとも備えるものであり、前記特定の音楽データは、圧縮して記録されており、前記音楽データ分割手段は、前記特定の音楽データを伸張した後に分割を行う構成とすることもできる。
【００１５】
本発明においては、更に、前記記録媒体の所定の領域に記録された特定の情報を識別する記録媒体識別手段を備え、前記記録媒体識別手段では、前記記録媒体の前記所定の領域に、予め前記特定の情報が記録されている場合に、変換された前記データの記録を行う構成とすることができる。
【００１６】
また、本発明においては、前記特定の情報の少なくとも一部は、前記記録媒体の論理アドレス領域外に記録されている構成とすることができ、前記特定の情報は、前記記録媒体の製造者を特定する情報と前記記録媒体の識別情報とを含むことが好ましい。
【００１７】
このように、本発明のデータ生成プログラムでは、入力された画像データが静止画像データである場合は、静止画像データの画素数を動画データの規格の最大解像度（最大画素数）に変換して動画データを作成し、入力された画像データが動画データである場合は、動画データの規格の標準的な解像度（画素数）に変換し、静止画像データから作成された動画データと入力された動画データとを別々のセグメントとしてＶｉｄｅｏ−ＣＤ、ＤＶＤ−Ｖｉｄｅｏ、ＨＤＴＶ形式のデータに変換するため、静止画像データに基づく画像を高解像度で再生することができる。また、画像の表示時間に対応付けて音楽データを分割し、各々の動画データに分割された音楽データを合成しているため、セグメントに分割された画像再生機器用のデータを作成する構成においても、音楽データを合成することが可能となる。
【発明の効果】
【００１８】
本発明のデータ生成プログラム及び記録装置によれば、下記記載の効果を奏する。
【００１９】
本発明の第１の効果は、静止画像データと動画データとが混在するデータを画像再生機器で再生可能なＶｉｄｅｏ−ＣＤ、ＤＶＤ−Ｖｉｄｅｏ、ＨＤＴＶ形式のデータに変換する場合でも、静止画像データに基づく画像を高解像度で再生することができるということである。
【００２０】
その理由は、入力された画像データが静止画像データである場合は、静止画像データの画素数を動画データの規格の最大解像度（例えば、ＣＤ−Ｒの場合は３５２×２４０より多い画素数、好ましくは７０２×４８０画素、ＤＶＤ−Ｒの場合は７２０×４８０より多い画素数、好ましくは１０２４×７６８画素、Ｂｌｕ−ｒａｙディスクの場合は垂直方向７００画素より多い画素数、好ましくは１２８０×１０２４画素）に変換して動画データを作成し、入力された画像データが動画データである場合は、動画データの規格の標準的な解像度（例えば、ＣＤ−Ｒの場合は３５２×２４０画素、ＤＶＤ−Ｒの場合は７２０×４８０画素、Ｂｌｕ−ｒａｙディスクの場合は垂直方向７００画素程度）に変換し、静止画像データから作成された動画データと入力された動画データとを別々のセグメントとしてＶｉｄｅｏ−ＣＤ、ＤＶＤ−Ｖｉｄｅｏ、ＨＤＴＶ形式のデータに変換しているからである。
【００２１】
また、本発明の第２の効果は、セグメントに分割された画像再生機器用のデータを作成する構成においても、音楽データを合成することができるということである。
【００２２】
その理由は、音楽データを全ての動画データに対して一括して合成するのではなく、音楽データの再生時間と入力された動画データの再生時間とから静止画像データに基づく画像のスライド再生時間を算出し、画像の表示時間に対応付けて音楽データを分割し、各々の動画データに分割された音楽データを合成しているからである。
【発明を実施するための最良の形態】
【００２３】
本発明の記録装置は、その好ましい一実施の形態において、デジタルカメラやメディアから静止画像データと動画データとを入力するデータ入力手段と、入力された画像データの種類を判断し、入力された画像データが静止画像データの場合は、静止画像データの画素数を動画データの規格の最大画素数（例えば、ＣＤ−Ｒの場合は３５２×２４０より多い画素数、好ましくは７０２×４８０画素、ＤＶＤ−Ｒの場合は７２０×４８０より多い画素数、好ましくは１０２４×７６８画素、Ｂｌｕ−ｒａｙディスクの場合は垂直方向７００画素より多い画素数、好ましくは１２８０×１０２４画素）に変換して動画データを作成し、入力された画像データが動画データの場合は、動画データの規格の標準的な解像度（例えば、ＣＤ−Ｒの場合は３５２×２４０画素、ＤＶＤ−Ｒの場合は７２０×４８０画素、Ｂｌｕ−ｒａｙディスクの場合は垂直方向７００画素程度）に変換し、必要に応じて静止画像データから作成された動画データ及び入力された動画データの各々に、画像の再生時間に対応付けて分割した音楽データを合成した後、これらの動画データを各々１つのセグメントとしてＶｉｄｅｏ−ＣＤ、ＤＶＤ−Ｖｉｄｅｏ、ＨＤＴＶ形式のデータに変換するデータ変換手段と、入力された画像データ及び変換されたデータをＣＤ−Ｒ／ＲＷやＤＶＤ±Ｒ／ＲＷ、ＤＶＤ−ＲＡＭ、Ｂｌｕ−ｒａｙディスク等の記録媒体に記録するデータ記録手段とを少なくとも備えるものであり、静止画像データと動画データとが混在するデータをＤＶＤプレーヤーやＤＶＤレコーダーなどの画像再生機器で再生可能なデータに変換する場合であっても、静止画像データに基づく画像を高解像度で再生することができる。
【実施例】
【００２４】
上記実施形態について詳細に説明すべく、本発明の一実施例に係るデータ生成プログラム及び記録装置について、図１乃至図１３を参照して説明する。図１乃至図５は、本実施例に係る記録装置の構成を模式的に示す外観図であり、図６は、記録装置の機能を示すブロック図である。また、図７は、本実施例の記録装置を用いたデータの記録手順を示すフローチャート図であり、図８は、該記録手順を模式的に示す図である。また、図９及び図１０は、記録媒体のデータの記録構造の例を示す図、図１１は、記録媒体におけるデータの記録領域を模式的に示す図、図１２は、記録媒体（ＣＤ−Ｒ）の構造を模式的に示す図である。また、図１３は、音楽データの分割手順を示すフローチャート図である。
【００２５】
図１に示すように、本実施例の記録装置１は、スマートメディア、コンパクトフラッシュ（登録商標）、メモリースティック（登録商標）、ＳＤメモリーカード、マルチメディアカードなどのデジタルカメラ用やカメラ付き携帯電話機用の記録媒体（以下、メディア８と呼ぶ。）を装填するメディア装填部２、デジタルカメラ７やカメラ付き携帯電話機７ａ等の撮影機器（以下、デジタルカメラ７として説明する。）を有線又は無線、赤外線等によって接続するための機器接続部３、インターネット等の通信ネットワーク１６を介してサーバ１７からデータをダウンロードするネットワーク接続部等のデータ入力手段と、入力した静止画像データ、動画データ、音楽データ、これらのデータを変換したデータ、アプリケーションデータなどを記録するＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。
【００２６】
また、記録装置１の機能をブロック図で示すと図６のようになる。すなわち、メディア装填部２、機器接続部３、ネットワーク接続部等を用いてデジタルカメラ７やメディア８から静止画像データ、動画データ、音楽データ等を入力するデータ入力手段１０と、表示部５及び操作部６と、入力された画像データからＤＶＤプレーヤーやＤＶＤレコーダーなどの画像再生機器で利用可能なＶｉｄｅｏ−ＣＤ、ＤＶＤ−Ｖｉｄｅｏ、ＨＤＴＶ等の規格のデータを生成するデータ生成手段１１と、入力された静止画像データや動画データ、生成されたデータなどを記録媒体装填部４に装填された記録媒体９に記録するデータ記録手段１５とを備えている。
【００２７】
また、データ生成手段１１は、入力された画像データが静止画像データの場合は、動画データの規格で設定可能な画素数の中で、標準的に設定される画素数（以下、第１の画素数と呼ぶ。例えば、ＣＤ−Ｒの場合は３５２×２４０画素、ＤＶＤ−Ｒの場合は７２０×４８０画素、Ｂｌｕ−ｒａｙディスクの場合は垂直方向７００画素程度）よりも高精細な画素数（以下、第２の画素数と呼ぶ。例えば、ＣＤ−Ｒの場合は３５２×２４０より多い画素数、好ましくは７０２×４８０画素、ＤＶＤ−Ｒの場合は７２０×４８０より多い画素数、好ましくは１０２４×７６８画素、Ｂｌｕ−ｒａｙディスクの場合は垂直方向７００画素より多い画素数、好ましくは１２８０×１０２４画素）のデータにリサイズし、入力されたデータが動画データの場合は、上記標準的に設定される画素数（第１の画素数）のデータにリサイズする解像度変換手段１２と、必要に応じて、所定の音楽データを静止画像データに基づく画像の表示と共に再生される静止画像用音楽データと動画の再生と共に再生される動画用音楽データとに分割する音楽データ分割手段１３と、静止画像データに基づいて作成された動画データと入力された動画データとを各々１つのセグメントとして画像再生機器で利用可能なデータに変換するデータ変換手段１４とを備えている。また、データ記録手段１５には、必要に応じて、記録媒体装填部４に装填された記録媒体９に書き込まれている識別情報を読み取って、該記録媒体９がデータの記録が許可されているか否かを判断する記録媒体識別手段１５ａを備えている。
【００２８】
なお、上記各手段は記録装置１内にハードウェアとして構成されていてもよいし、コンピュータを、解像度変換手段１２、音楽データ分割手段１３、データ変換手段１４などとして機能させるデータ生成プログラムがインストールされ、該データ生成プログラムによって上記手段が実行される構成としてもよい。また、図１では写真店やコンビニエンスストア等の店舗に設置可能なキオスク型の記録装置１を記載しているが、記録装置１の形態は任意であり、例えば、図２に示すようにパーソナルコンピュータなどのコンピュータ機器としてもよいし、図３に示すように専用のセットトップボックスとしたり、図４に示すようにポータブルライタなどとしてもよいし、また、図５に示すようにＤＶＤレコーダーやＨＤＤレコーダーなどを用いてもよい。
【００２９】
次に、上記構成の記録装置１を用いて、記録媒体９にデータが記録されるまでの手順について、図７のフローチャート図及び図８の模式図並びに図９のデータ構造例を参照して説明する。なお、以下では、静止画像データと動画データをＶｉｄｅｏ−ＣＤ規格のデータに変換する場合について示すが、ＤＶＤ−ＶｉｄｅｏやＨＤＴＶ等の規格のデータに変換する場合も同様に適用することができる。また、静止画像データに基づく画像及び動画データに基づく画像を表示する際にＢＧＭとして音楽が再生されるように音楽データを合成しているが、ＢＧＭを用いない場合には音楽データを合成する必要はない。
【００３０】
まず、ステップＳ１０１で、記録装置１のメディア装填部２にメディア８を装填、又は機器接続部３にデジタルカメラ７を接続、又はネットワーク接続部を通信ネットワーク１６に接続し、記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填し、ステップＳ１０２で、データ入力手段１０を用いて、デジタルカメラ７やメディア８に格納又はサーバ１７に記録された静止画像データ、動画データ、音楽データを入力する。なお、記録媒体装填部４に装填する記録媒体９はデータが記録されていない未使用の記録媒体としてもよいし、予めアプリケーションなどが記録されている記録媒体を用いてもよい。また、音楽データはデータ入力手段１０によって入力される構成としてもよいし、記録装置１に予め記憶手段を設けておき、該記憶手段に記憶された音楽データを使用する構成としてもよい。
【００３１】
次に、ステップＳ１０３で、音楽データを合成するか否かを判断する。ここで従来の記録装置では、静止画像データから作成される動画データと入力された動画データとを一括して画像再生機器で再生可能なデータに変換していたが、本実施例の記録装置１では、静止画像データから作成された動画データと、入力された動画データとは各々１つのセグメントのデータとして変換されるため、音楽データも各々の画像データに対して別々に合成する必要がある。そこで本実施例では、音楽データを合成する場合は、ステップＳ１０４で、音楽データ分割手段１３を用いて、音楽データをセグメントの数の音楽データに分割する。
【００３２】
音楽データの分割方法としては、例えば、音楽データの再生時間と動画データの再生時間とから各々の静止画像データをスライド表示する時間を算出し、これらの画像の表示時間に基づいて音楽データを静止画像データのスライド表示時に再生する静止画用音楽データと動画データ再生時に再生する動画用音楽データとに分割する。図８に示すように、３つの静止画像データ（DSC00001.jpg、DSC00002.jpg、DSC00003.jpg）と、１つの動画データ（DSC00005.avi）とが入力されてこの順に再生されるとし、これらの画像データの再生中に音楽データ（BGM1.mp3）がＢＧＭとして再生される場合において、例えば、音楽データの再生時間を５０秒、動画データの再生時間を２０秒とする場合を例にとって、図１３のフローチャート図を用い、具体的に説明する。
【００３３】
まず、ステップＳ２０１で、音楽データのヘッダ情報などを参照して音楽データの再生時間を取得し、ステップＳ２０２で、動画データのヘッダ情報などを参照して動画データの再生時間を取得する。次に、ステップＳ２０３で、音楽データ（図８のBGM1.mp3）のヘッダ部分をメインデータから分離し、ステップＳ２０４で、メインデータを伸張して音楽ＰＣＭデータに復元する。
【００３４】
次に、ステップＳ２０５で、動画データの再生時間に合わせて音楽ＰＣＭデータを分割し、静止画用音楽ＰＣＭデータと動画用音楽ＰＣＭデータを作成する。ここで、動画データの再生時間が２０秒であるので、音楽ＰＣＭデータの最初の３０秒分を静止画用音楽ＰＣＭデータとし、残りの２０秒分を動画用音楽ＰＣＭデータとする。なお、スライド表示を行う静止画は３枚あるので、各々の静止画像データのスライド表示時間は１０秒に設定される。
【００３５】
次に、ステップＳ２０６で、静止画用音楽ＰＣＭデータを圧縮し、ヘッダを付加して静止画用音楽データ（BGM1S.mp3）を作成し（Ｓ２０７）、同様に、ステップＳ２０８で、動画用音楽ＰＣＭデータを圧縮し、ヘッダを付加して動画用音楽データ（BGM1M.mp3）を作成する（ステップＳ２０９）。このように、音楽データ（BGM1.mp3）は、始めの３０秒の音楽が記録された静止画用音楽データ（BGM1S.mp3）と残りの２０秒の音楽が記録された動画用音楽データ（BGM1M.mp3）に分割されることになる。
【００３６】
なお、上記説明は静止画像データのスライド表示と動画データの再生とが終了した時に音楽の再生も終了させる（すなわち、画像の表示と音楽再生とを同期させる）場合の分割方法であるが、音楽データの分割方法は上記記載に限定されず、静止画像データのスライド時間を予め設定しておき、音楽の再生時間に関わらず画像を表示させる（すなわち、画像の表示と音楽再生とを同期させない）構成としてもよい。また、上述したように、音楽データの合成は必須ではなく、音楽データを合成しない場合はこのステップは不要である。
【００３７】
次に、入力された画像データを用いて画像再生機器で再生可能なデータを作成するが、本実施例では、入力された画像データが静止画像データであるか動画データであるかによってその後の処理が異なるため、ステップＳ１０５で、画像データの拡張子などを参照して入力された画像データの種類を判断する。
【００３８】
そして、入力された画像データが静止画像データである場合は、ステップＳ１０６で、解像度変換手段１２を用いて、ヘッダ情報などを参照して入力された静止画像データの画素数を取得し、この画素数と予め定められた第２の画素数とが異なる場合は静止画像データの画素数を第２の画素数にリサイズする。この第２の画素数とは、動画データの規格で設定可能な画素数の中で選択可能な最大画素数であり、例えば、ＣＤ−Ｒの場合は３５２×２４０より多い画素数、好ましくは７０２×４８０画素、ＤＶＤ−Ｒの場合は７２０×４８０より多い画素数、好ましくは１０２４×７６８画素、Ｂｌｕ−ｒａｙディスクの場合は垂直方向７００画素より多い画素数、好ましくは１２８０×１０２４画素である。なお、静止画像データの画素数と第２の画素数との関係としては、静止画像データの画素数が第２の画素数よりも高い場合と低い場合と同じ場合とが考えられるが、静止画像データの画素数の方が高い場合は静止画像データの画素を間引きして第２の画素数とし、静止画像データの画素数の方が低い場合は静止画像データの画素を補完して第２の画素数とし、静止画像データの画素数と第２の画素数とが同じ場合にはリサイズを行う必要はない。
【００３９】
次に、リサイズした静止画像データに基づいて動画データを作成するが、画像データは通常、ＲＧＢの発光３原色のデータとして構成されており、ＲＧＢ方式では画像データの圧縮度を高めることが難しい。ここで、人間の目の解像度は、色に対しては輝度ほど敏感でないため、画像データをＹＵＶ形式（輝度、輝度と赤色成分の差、輝度と青色成分との差の３つの情報で色を表す形式）で構成することも可能であり、ＹＵＶ形式で構成することにより、色情報を間引いて情報量を削減することができる。そこで、本実施例では、ステップＳ１０７で、データ変換手段１４を用いて、ＲＧＢ形式のデータをＹＵＶ形式のデータ（DSC00001.yuv、DSC00002.yuv、DSC00003.yuv）に変換している。なお、本ステップのデータの変換は必須ではなく、記録媒体９の記録容量に余裕がある場合にはＲＧＢ形式のデータから直接、動画データを作成してもよい。
【００４０】
次に、ステップＳ１０８で、ＹＵＶ形式に変換された静止画像データから動画データ（ここではＭＰＥＧ１形式の動画データ：Stillmovie.mpg）を作成する。この動画データの作成方法は特に限定されないが、例えば、静止画像データをスライドショーのように表示する場合は、ステップＳ１０４で設定したスライド表示時間又は予め設定したスライド表示時間に３０フレーム／秒を乗算した数の静止画像データを重ね合わせて動画データを作成することができる。その際、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００４１】
次に、ステップＳ１０９で、動画データに音楽データを合成する。ここで、本実施例では、上述したように入力された音楽データが静止画像データのスライド表示時間に基づいて予め分割されているため、ステップＳ１０８で作成された動画データ（Stillmovie.mpg）とステップＳ１０４で音楽データ分割手段１３を用いて分割された音楽データ（BGM1S.mp3）とを合成する。これにより、画像の表示時間と音楽の再生時間とが同期したデータを生成することができる。
【００４２】
次に、ステップＳ１１０で、データ変換手段１４を用いて、音楽データが合成されたＭＰＥＧ１形式の動画データを、画像再生機器で再生可能な形式のデータ（例えば、ＣＤ−Ｒの場合はＶｉｄｅｏ−ＣＤ、ＤＶＤ−Ｒの場合はＤＶＤ−Ｖｉｄｅｏ、Ｂｌｕ−ｒａｙディスクの場合はＨＤＴＶ規格のデータ）に変換する。ここで、従来の記録装置では、静止画像データから作成された動画データと入力された動画データとをまとめて変換して１つのデータとしていたが、本実施例では画素数の異なる画像データを変換するために、静止画像データから作成した動画データ（Stillmovie.mpg）のみを１セグメントとして変換している。なお、必要に応じて静止画像データのデータサイズを縮小した縮小画像データ（サムネイル画像データやスクリーンネイル画像データなど）も作成してもよい。
【００４３】
一方、ステップＳ１０５で入力された画像データが動画データ（DSC00005.avi）である場合は、ステップＳ１１１で、解像度変換手段１２を用いて、ヘッダ情報などを参照して入力された動画データの画素数を取得し、この画素数と予め定められた第１の画素数とが異なる場合は動画データの画素数を第１の画素数にリサイズする。この第１の画素数とは、動画データの規格の標準的な画素数であり、例えば、ＣＤ−Ｒの場合は３５２×２４０画素、ＤＶＤ−Ｒの場合は７２０×４８０画素、Ｂｌｕ−ｒａｙディスクの場合は垂直方向７００画素程度である。なお、動画データの画素数と第１の画素数との関係としては、動画データの画素数が第１の画素数よりも高い場合と低い場合と同じ場合とが考えられるが、動画データの画素数の方が高い場合は動画データの画素を間引きして第１の画素数とし、動画データの画素数の方が低い場合は動画データの画素を補完して第１の画素数とし、動画データの画素数と第１の画素数とが同じ場合にはリサイズを行う必要はない。
【００４４】
次に、ステップＳ１１２で、ＡＶＩ形式の動画データを画像再生機器で再生できるようにＭＰＥＧ１形式の動画データに変換する。
【００４５】
次に、ステップＳ１１３で、動画データに音楽データを合成する。ここでも、本実施例では、上述したように入力された音楽データが動画データの再生時間に基づいて予め分割されているため、ステップＳ１１２で変換された動画データ（Movie1.mpg）とステップＳ１０４で音楽データ分割手段１３を用いて分割された音楽データ（BGM1M.mp3）とを合成する。これにより画像の表示時間と音楽の再生時間とが同期したデータを生成することができる。
【００４６】
次に、ステップＳ１１４で、データ変換手段１４を用いて、音楽データが合成されたＭＰＥＧ１形式の動画データを、画像再生機器で再生可能な形式のデータ（例えば、ＣＤ−Ｒの場合はＶｉｄｅｏ−ＣＤ、ＤＶＤ−Ｒの場合はＤＶＤ−Ｖｉｄｅｏ、Ｂｌｕ−ｒａｙディスクの場合はＨＤＴＶ規格のデータ）に変換する。ここでも、従来の記録装置では、静止画像データから作成された動画データと入力された動画データとをまとめて変換して１つのデータを作成していたが、本実施例では上記動画データ（Movie1.mpg）のみを１セグメントとして変換している。
【００４７】
次に、データを記録媒体９に記録するが、その際、任意の記録媒体９に対してデータの記録ができるようにしてもよいし、正規に作成された記録媒体９に対してのみデータの記録を許可するようにしてもよい。後者の場合は、例えば、ステップＳ１１５で、記録媒体識別手段１５ａを用いて、記憶手段に予め記憶された位置情報（例えば、物理アドレス）を参照して、該位置に予め特定の識別情報が書き込まれているか否かを判断し、識別情報が書き込まれている場合にのみデータ記録手段１５によるデータの記録を開始する構成とすることができる。
【００４８】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はパーソナルコンピュータのＯＳではアクセスできない領域（すなわち、論理アドレス領域外）、具体的にはディスク型記録媒体の論理アドレス領域の内側の領域に書き込まれていることが好ましい。
【００４９】
ここで、一般的な記録媒体９の構造について、図１２を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称などの情報を記録媒体９の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に記録媒体９の識別情報を書き込むことにより、識別情報自体がコピーされないようにすることができる。
【００５０】
なお、識別情報の具体的な構成は任意であり、少なくとも記録媒体識別手段１５ａが識別できる情報であればよいが、上記したように記録媒体９の論理アドレス領域外にはメーカの名称が予め記録されていることから、このメーカの名称と記録媒体９に対して付与される番号とを識別情報として用いることにより、記録媒体９が正規に作成されたものか否かを簡単かつ確実に識別することができる。
【００５１】
そして、ステップＳ１１６で、識別情報が書き込まれている記録媒体９に、上記手順に従って変換された動画データや入力されたデータ（静止画像データ、動画データ、音楽データなど）を記録するが、画像再生機器ではデータを読み込むことができる記録領域が限定されるため、まず、ステップＳ１１０及びＳ１１４で変換された動画データや関連付けファイル等（以下、これらを総称して画像再生機器用データ群と呼ぶ。）を予め設けた書き込み用の所定のフォルダに転送した後、データ記録手段１５を用いて、該フォルダから画像再生機器用データ群を読み出して、記録媒体９の論理アドレス領域の内側に記録し、その後、画像再生機器で使用可能なデータの領域を区分するために一旦セッションをクローズする。
【００５２】
次に、入力されたデータ（静止画像データ、動画データ、音楽データなど）と、必要に応じて作成された縮小画像データやスライドショープログラムなどのアプリケーション、設定ファイル等（以下、これらを総称してコンピュータ機器用データ群と呼ぶ。）を予め設けた書き込み用の所定のフォルダに転送した後、データ記録手段１５を用いて、該フォルダからコンピュータ機器用データ群を読み出して、記録媒体９に先に記録された画像再生機器用データ群の外側に記録して一連の書き込み処理を終了する。
【００５３】
上記手順で作成された記録媒体９には図１１に示すように各種情報が記録され、ディスク型記録媒体９の最も内側の論理アドレス領域外には、所定の形式（好ましくはファイル形式でないデータ形式）の識別情報が記録され、その外側の論理アドレス領域の内側には、画像再生機器用データ群が記録され、更にその外側にはコンピュータ機器データ群が記録される。
【００５４】
また、上記手順で作成された記録媒体９（ＣＤ−Ｒ）の記録構造は、例えば、図９に示すようになり、”PS_Roll”フォルダ内の画像データ、サムネイル画像データ、スクリーンネイル画像データなどの画像データ群と、”APPL”フォルダ内のスライドショープログラム及びスライドショーの設定ファイルと、自動起動ファイル（Autrun.inf）などでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００５５】
また、記録媒体９（ＤＶＤ−Ｒ）の記録構造は、例えば、図１０に示すようになり、上記と同様のコンピュータ機器用データ群が構成され、”VIDEO_TS”フォルダ内のビデオマネージャ（ＶＭＧ）とビデオタイトルセット（ＶＴＳ）とで画像再生機器用データ群（ＤＶＤ−Ｖｉｄｅｏデータ）が構成される。より具体的には、ＶＭＧは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、ＶＴＳ全体を制御する情報が記述されたVTS_**_0.IFO、そのバックアップファイルであるVTS_**_0.BUP、ＶＴＳの各タイトルの動画データであるVTS_**_*.VOBなどで構成される。
【００５６】
なお、画像データ群の記録構造は任意であるが、画像データの管理を容易にするために、予め定められたルールに従ってフォルダを構成し、そのフォルダにユニークな名称を付与することが好ましい。例えば、図９及び図１０に示すように、画像データの格納場所を示すフォルダ（PS_Roll）の下位の階層にメディア８毎、機器毎、フィルム毎の画像データの格納場所を示すフォルダ（RO_AABC_XXXXX_YYMMDD_yyy_zzz）を作成し、各々の要素を、AA：国別のコード番号（00〜ZZ）、B：地域別のコード番号（0〜Z）、C：記録媒体の作り方を示すコード番号（例えば、キオスクで作った場合はk、ラボで作った場合はLなど）、XXXXX：ランダムなＩＤ番号、yymmdd：書き込み年月日を特定する数字、yyy：日毎のシーケンシャル番号、zzz：所定の単位毎（例えば、フィルム毎やメディア毎、機器毎など）のシーケンシャル番号などとしてもよい。また、PS_Rollフォルダの上位の階層に移住してきた画像データの格納場所を示すフォルダ（PS_AABC_XXXXX_YYMMDD_zzz）などを作成してもよい。
【００５７】
このように、本実施例のデータ生成プログラム及び記録装置では、入力された画像データが静止画像データである場合は、静止画像データの画素数を動画データの規格の最大解像度（例えば、ＣＤ−Ｒの場合は３５２×２４０より多い画素数、好ましくは７０２×４８０画素、ＤＶＤ−Ｒの場合は７２０×４８０より多い画素数、好ましくは１０２４×７６８画素、Ｂｌｕ−ｒａｙディスクの場合は垂直方向７００画素より多い画素数、好ましくは１２８０×１０２４画素）に変換して動画データを作成し、入力された画像データが動画データである場合は、動画データの規格の標準的な解像度（例えば、ＣＤ−Ｒの場合は３５２×２４０画素、ＤＶＤ−Ｒの場合は７２０×４８０画素、Ｂｌｕ−ｒａｙディスクの場合は垂直方向７００画素程度）に変換し、必要に応じて、画像の表示時間に対応付けて分割された音楽データを合成した後、静止画像データから作成された動画データと入力された動画データとを別々のセグメントとしてＶｉｄｅｏ−ＣＤ、ＤＶＤ−Ｖｉｄｅｏ、ＨＤＴＶ形式のデータに変換するため、静止画像データと動画データとが混在するデータであっても、静止画像データに基づく画像を高解像度で再生することができる。
【００５８】
なお、上記説明では、入力された静止画像データ及び動画データの双方の画素数をリサイズする構成としたが、動画データの画素数は通常、標準的な画素数のデータであることから、静止画像データに対してのみ画素数をリサイズするなど、いずれか一方の画像データのみリサイズする構成としてもよい。また、変換したデータや入力されたデータを記録媒体９に書き込む構成としたが、これらのデータを他の記録手段（例えば、コンピュータ機器のＨＤＤなど）に書き込む構成としてもよい。
【図面の簡単な説明】
【００５９】
【図１】本発明の一実施例に係る記録装置の構成を模式的に示す図である。
【図２】本発明の一実施例に係る記録装置の他の構成を模式的に示す図である。
【図３】本発明の一実施例に係る記録装置の他の構成を模式的に示す図である。
【図４】本発明の一実施例に係る記録装置の他の構成を模式的に示す図である。
【図５】本発明の一実施例に係る記録装置の他の構成を模式的に示す図である。
【図６】本発明の一実施例に係る記録装置の構成を示すブロック図である。
【図７】本発明の一実施例に係る記録装置を用いたデータの記録手順を示すフローチャート図である。
【図８】本発明の一実施例に係る記録装置を用いたデータ変換を模式的に示す図である。
【図９】本発明の一実施例の記録媒体におけるデータの記録構造を示す図である。
【図１０】本発明の一実施例の記録媒体（ＣＤ−Ｒ）におけるデータの記録領域を模式的に示す図である。
【図１１】本発明の一実施例の記録媒体（ＤＶＤ−Ｒ）におけるデータの記録領域を模式的に示す図である。
【図１２】記録媒体（ＣＤ−Ｒ）の構造を模式的に示す図である。
【図１３】本発明の一実施例に係る記録装置を用いた音楽データの分割手順を示すフローチャート図である。
【符号の説明】
【００６０】
１  記録装置
２  メディア装填部
３  機器接続部
４  記録媒体装填部
５  表示部
６  操作部
７  デジタルカメラ
７ａ  カメラ付き携帯電話機
８  メディア
１０  データ入力手段
１１  データ生成手段
１２  解像度変換手段
１３  音楽データ分割手段
１４  データ変換手段
１５  データ記録手段
１５ａ  記録媒体識別手段
１６  通信ネットワーク
１７  サーバ
１００  ポリカーボネート基板
１０１  有機色素層
１０２  反射層
１０３  保護層
【図１】
2005333612.tif 000003
【図２】
2005333612.tif 000004
【図３】
2005333612.tif 000005
【図４】
2005333612.tif 000006
【図５】
2005333612.tif 000007
【図６】
2005333612.tif 000008
【図７】
2005333612.tif 000009
【図８】
2005333612.tif 000010
【図９】
2005333612.tif 000011
【図１０】
2005333612.tif 000012
【図１１】
2005333612.tif 000013
【図１２】
2005333612.tif 000014
【図１３】
2005333612.tif 000015